(57)【要約】【課題】  利用シーン応じて無線識別装置の持つあらゆる情報や状態を容易に確実に操作できるように、無線識別装置の動作や処理を変更可能な無線周波数識別装置が必要である。【解決手段】  本発明の無線識別装置は、電波により信号の送受信を行うためのアンテナと、外部通信装置とデータの送受信を行う通信制御部と、第１の値のデータを記憶する記憶部と、判断や処理を行う制御部と、切断可能な切断検出線と、該切断検出線が切断されたことを検出する検出部とを備えることにより、検出部が該切断検出線の切断を検出した場合に、制御部が該第１の値のデータを第２の値に変更する。また、制御部が、前記記憶部に記憶されている第１の値または第２の値のデータにより、無線識別装置の処理内容を変更する。【選択図】        図１
2007065761.tif 000002
【特許請求の範囲】
【請求項１】
無線により外部通信装置と通信を行う無線識別装置であって、電波により信号の送受信を行うためのアンテナと、外部通信装置とデータの送受信を行う通信制御部と、第１の値のデータを記憶する記憶部と、判断や処理を行う制御部と、切断可能な切断検出線と、前記切断検出線が切断されたことを検出する検出部とを備え、前記検出部が前記切断検出線の切断を検出した場合に、前記制御部が前記第１の値のデータを第２の値に変更することを特徴とする無線識別装置。
【請求項２】
更に、前記記憶部が第１の値のデータを複数と、前記切断検出線を複数と、前記制御部が複数の切断検出線と複数の第１の値のデータとの対応データとを備えており、前記検出部が、前記切断検出線の切断を検出した場合に、前記制御部が切断された前記切断検出線に対応するデータの第１の値を第２の値に変更することを特徴とする、請求項１に記載の無線識別装置。
【請求項３】
前記制御部が、前記記憶部に記憶されている第１の値または第２の値のデータにより、前記無線識別装置の処理内容を変更する手段を備えており、前記制御部は、前記データが第１の値または第２の値により、前記無線識別装置の処理を第１または第２の処理に変更することを特徴とする、請求項１または２に記載の無線識別装置。
【請求項４】
前記制御部が変更する第１または第２の処理の内容が、前記無線識別装置が前記外部通信装置に対する応答または無応答、前記記憶部に格納される情報の変更または無変更、前記外部通信装置からのデータの読み書きの許可または不許可であることを特徴とする、請求項３に記載の無線識別装置。
【請求項５】
前記無線識別装置が、更に前記無線識別装置の一部に、切り取り線や、文字、または記号、またはパターンによる境界線を設けることにより、前記切断検出線を切り易くすることを特徴とする、請求項１から４のいずれかに記載の無線識別装置。
【請求項６】
前記無線識別装置が、更に前記無線識別装置の一部に、文字、または記号、またはパターンを用いることにより、前記切断検出線が切断された場合に前記制御部が変更する処理内容を、分り易く示すことを特徴とする、請求項１から５のいずれかに記載の無線識別装置。
【請求項７】
無線により外部通信装置と通信を行う無線識別装置であって、電波により信号の送受信を行うためのアンテナと、前記外部通信装置とデータの送受信を行う通信制御部とを備え、前記無線識別装置の一部を切り取ることにより、上記アンテナの一部を切断して、前記無線識別装置と前記外部通信装置との通信距離を変更することを特徴とする無線識別装置。
【請求項８】
無線により外部通信装置と通信を行う無線識別装置であって、電波により信号の送受信を行うためのアンテナと、前記外部通信装置とデータの送受信を行う通信制御部とを備え、更に前記無線識別装置の一部に、切り取り線、または記号、またはパターン、または色づけすることにより、前記外部通信装置と前記無線識別装置との通信距離の目安と該アンテナの切断位置を分り易く示すことを特徴とする無線識別装置。
【請求項９】
無線により外部通信装置と通信を行う無線識別装置のデータ変更方法であって、
制御部が、検出部を通じて切断検出線の切断を検出するステップと、記憶部に記憶されたデータを読取るステップとを備え、前記制御部が、前記切断検出線が切断されていることを検出した場合に、前記記憶部に記憶している第１の値のデータを、第２の値に変更することを特徴とする前記無線識別装置に用いられるデータ変更方法。
【請求項１０】
無線により外部通信装置と通信を行う無線識別装置の処理変更方法であって、判断や処理を行う制御部が、検出部を通じて切断検出線の切断を検出するステップと、記憶部に記憶されたデータを読取るステップと、前記切断検出線の切断を検出した場合に、前記記憶部に記憶している第１の値のデータを、第２の値に変更するステップとを備え、前記制御部が前記記憶部に記憶されているデータが第１の値または第２の値により、前記無線識別装置の処理を第１または第２の処理に変更することを特徴とする前記無線識別装置に用いられる処理変更方法。
【発明の詳細な説明】
【技術分野】
【０００１】
本発明は、無線ＩＣタグ（例えば、ＲＦＩＤ（Ｒａｄｉｏ  Ｆｒｅｑｕｅｎｃｙ  Ｉｄｅｎｔｉｆｉｃａｔｉｏｎ）：登録商標）あるいは非接触ＩＣカード等の無線識別装置に関し、とくに、一部を切り取ることによりデータ又は動作を変更可能な無線識別装置及び無線識別装置のデータ又は動作の変更方法に関する。
【背景技術】
【０００２】
無線ＩＣタグ（例えば、ＲＦＩＤ）等の無線識別装置は、バーコードに代わる自動認識技術として期待されている。バーコードに比べ、汚れに強い、複製が困難、読取り範囲が広く一括で読取り可能、記録できる情報が多い、情報が変更可能であるといった特徴を持つ。現在バーコードが利用されている物流や販売の分野におけるサプライチェーンマネジメントや物品管理の用途で、また無線識別装置の特徴を生かしたセンサネットワークやプレゼンス管理などの他分野での用途にと期待されている。様々な分野で無線識別装置が普及すると、無線識別装置が添付された商品を店で購入し、各家庭で個人の物品管理に利用されるなど、一般消費者の生活への普及も予測できる。
そこで、消費者にとってより使い易い無線識別装置が望まれてきている。
【０００３】
使い易い無線識別装置の例として、特許文献１には、包装体の封止シール用の開封識別構造において、バーコードもしくは無線識別装置が添付された箱が開封されることにより、バーコードと共に無線識別装置も物理的に分断され、バーコードが読取り不可もしくは無線識別装置が通信不可になり、箱が開封されたことを識別できる方法が開示されている。
【０００４】
また、特許文献２には、帯状に連接された無線識別装置において、連接されている状態ではＩＣチップが短絡されており無線識別装置が動作しないが、短絡されている部分を切断することにより無線識別装置が動作し、書込みが可能となる無線識別装置が開示されている。
【特許文献１】特開２００４−５９１００号公報
【特許文献２】特開２００２−２３０４９９号公報
【発明の開示】
【発明が解決しようとする課題】
【０００５】
しかし、特許文献１に記載された装置は、無線識別装置を物理的に破壊することにより無線識別装置を通信不可にするものであるが、再利用が必要な分野での適用は難しく、また確実に無線識別装置が通信不可になるかは分からない。
また、特許文献２に記載された装置は、切断された無線識別装置のみを使用可能にして書込み可能にすることにより、他の無線識別装置への誤書込みを防止するものであるが、一度切断されて使用可能になった無線識別装置を再び使用不可にすることはできない。一般消費者が使うことを考えると、利用シーン応じて無線識別装置の持つあらゆる情報や状態を容易に確実に操作できることが望まれている。
【０００６】
そこで、本発明では、無線識別装置の一部を切り取ることで、無線識別装置の応答／無応答の動作の変更を実現したり、無線識別装置の内部設定情報が変更されることで、例えばデータの読取り可／不可、書込み可／不可、領域ごとの情報へのアクセス可／不可の設定を実現したり、無線識別装置に保持しているデータの変更を実現したり、また無線識別装置と共にアンテナを切り取ることで通信距離の変更を実現したり、さらにこれら変更の状態を視覚的に示すことが可能な無線識別装置を提供することを目的とする。
【課題を解決するための手段】
【０００７】
本発明の無線識別装置は、電波により信号の送受信を行うためのアンテナと、外部通信装置とデータの送受信を行う通信制御部と、第１の値のデータを記憶する記憶部と、プログラムを格納し判断や処理を行う制御部と、切断可能な切断検出線と、該切断検出線が切断されたことを検出する検出部とを備えることにより、検出部が該切断検出線の切断を検出した場合に、制御部が該第１の値のデータを第２の値に変更することを特徴としている。また、制御部が、前記記憶部に記憶されている第１の値または第２の値のデータにより、無線識別装置の処理内容を変更することを特徴としている。
【発明の効果】
【０００８】
本発明では、無線識別装置の一部を切り取ることによって、例えば無線識別装置の応答／無応答の動作、データの読取り可／不可、データの書込み可／不可、領域ごとの情報へのアクセス可／不可、保持しているデータの変更、通信距離の変更などを行うことができる。
【発明を実施するための最良の形態】
【０００９】
以下、本発明に関する実施の形態について図面を参照して説明する。
本発明の無線識別装置の構成を図１から図９に示し、店舗にて本発明の無線識別装置を添付した商品購入を例に、その動作と効果を図１０から図１２に示し、空港にて本発明の無線識別装置が添付された航空チケットを例に、その動作と効果を図１３から図１８に示し、無線識別装置を切り取ると使用不可になる例の動作と効果を図１９から図２２に示し、無線識別装置と共にアンテナを切り取ることにより通信距離を変更する例の動作と効果を図２３と図２４に示す。
【実施例１】
【００１０】
図１は、本発明の実施例１の無線識別装置の内部構成を示したブロック図である。無線識別装置１００は、外部通信装置であるリーダライタからの電波を送受信し、リーダライタとの信号やコマンドデータ送受信を行うアンテナ１０１と、アンテナ１０１から受信した電波を整流する整流部１０３と、整流して得た電圧を検出し、各部に電源を供給する電源部１０４と、受信信号やコマンドデータの復調を行い、また送信する信号やコマンドデータの変調を行う通信制御部１０５と、無線識別装置の初期化処理やコマンドデータの処理や各データ項目に対するアクセス制御を行う処理手順を持つ制御部１０６と、無線識別装置の動作の設定値や各データに対するアクセス制御の設定値やアクセスパターンなどの情報を記憶する記憶部１０７と、電源部１０４と検出部１０９に接続されており、無線識別装置の一部と共に切断することが可能な切断検出線１０８と、その切断検出線１０８が切断されたか切断されていないかの状態を検出する検出部１０９から構成される。なお、上記実施例１では、無線識別装置の電源部は、アンテナ１０１から受信した電波を整流する整流部１０３と、整流して得た電圧を検出し、各部に電源を供給する電源部１０４としているが、電源部として電池、充電池等の既存の電源を用いることもできる。
【００１１】
図２は、切断検出線の具体的な回路構成の例を示した図である。切断検出線２０２、切断検出線２０３、切断検出線２０４、切断検出線２０５が電源部１０４に接続されており、もう一方はアース１１０に接続されており、それぞれの切断検出線に検出部１０９が接続されている。切り取り線２１２で切り取ると切断検出線２０２が切断され、切り取り線３１３で切り取ると切断検出線３０２と切断検出線３０３が切断され、切り取り線３１４で切り取ると切断検出線３０４と切断検出線３０５が切断され、切り取り線３１５で切り取ると切断検出線３０５で切断される構成になっている。
【００１２】
図３は、本発明の無線識別装置の外観構成の例を示した図である。無線識別装置１００は、ＩＣチップ１０２に、アンテナ１０１と無線識別装置が切り取られたことを検出するための切断検出線２０２、切断検出線２０３、切断検出線２０４、切断検出線２０５が電気的に接続されている。切り取り線２１２で切り取ると切断検出線２０２が切断され、切り取り線２１３で切り取ると切断検出線２０２と切断検出線２０３が切断され、切り取り線２１４で切り取ると切断検出線２０４と切断検出線２０５が切断され、切り取り線２１５で切り取ると切断検出線２０５が切断される構成になっている。
【００１３】
本発明の実施例１では、無線識別装置の一部に、切り取り線や、文字、または記号、またはパターンによる境界線を設けるように構成されており、切り取り線で切り取ることにより容易に切断検出線を切断することができる。
【００１４】
切り取り線で切ると切断検出線が切断できるようになっている構成であれば、ＩＣチップ１０２、アンテナ１０１、切断検出線はどんな配置でも良い。切り取り線について、切取る部分の色やパターンを変えたり、記号を印字したりと切り取る部分が分かるようにしてあれば他の方法でも良い。またラベルに関しても同様で、色やパターンを変えて、記号を印字して効果が分かるようにしてあれば他の方法でも良い。切り取り線は、手で切り取り易いようにミシン目を入れて、無線識別装置に切れ易い材質を用いても良い。もちろん、はさみやカッターやその他専用器具でしか切り取れないようにしてあっても良い。
上記実施例では、切り取る例を示したが、穴を開けるや折るなど切断検出線を切断できれば他の方法でも良い。
【００１５】
図４は、図３の無線識別装置１００の裏面、または図３の無線識別装置１００にシール・紙等を貼った場合の外観構成の例を示した図である。無線識別装置１００の一部を切り取った後の効果や状態が視覚的に分かるように、ラベル読取り○／書込み○２２１、読取り○／書込み×２２２、読取り×／書込み×２２３、アクセスパターンＣ２２４、アクセスパターンＢ２２５、アクセスパターンＡ２２６が印字されている。アクセスパターンＡ２２６、アクセスパターンＢ２２５、アクセスパターンＣ２２４は、無線識別装置の持つデータ各々に対してのアクセス可または不可を示したパターンである。
【００１６】
本発明の実施例１では、無線識別装置の一部に、文字、または記号、またはパターンを用いることにより、前記切断検出線が切断された場合の対応する無線識別装置処理変更の内容を、分り易く示すように構成されており、無線識別装置の一部の切り取りと、切り取り後の処理内容の変更とを容易に対応させることができる。
【００１７】
図５は、本発明の実施形態に係わる、無線識別装置１００とリーダライタ３００からなる無線識別装置システムの構成を示した図である。リーダライタ３００は、リーダライタアンテナ３０１とリーダライタ本体３０２から構成されている。無線識別装置１００に対して電波でコマンドデータの送信と電力供給が行われ、リーダライタ３００は無線識別装置からの応答を受信する。
【００１８】
図６は、リーダライタ３００の内部構成を示した図である。
リーダライタ３００は、無線識別装置へ電波やコマンドデータを送信したり、無線識別装置からの応答を受信するリーダライタアンテナ３０１とリーダライタ本体３０２から構成される、リーダライタ本体３０２は、リーダライタアンテナ３０１を用いて無線識別装置へコマンドデータを送信したり、その応答を受信したりする送受信部３０３と、コマンドデータの送信時の変調や受信時の信号の増幅や復号を行う通信制御部３０４と、リーダライタ３００全体の制御を行う制御部３０５と、リーダライタ本体３０２とパーソナルコンピュータなどの外部装置とデータや操作コマンドなどの通信を行うためのホストインタフェース３０６と、各部に電源を供給するための電源部３０７から構成される。コマンドデータの一例として、無線識別装置を読取る時にはＲＥＡＤ、無線識別装置のデータを書き換える時はＷＲＩＴＥなどのコマンドがある。
次に消費者が本発明の無線識別装置が添付された商品を店舗で購入した場合を例に挙げて、無線識別装置のデータやその構成について説明する。
【００１９】
図７は、商品に添付された無線識別装置が持つデータであり、記憶部１０７に格納されている。無線識別装置は、データ項目４００を持ち、個々の無線識別装置が持つユニークＩＤ４０１と、商品を識別するためのシリアルＮｏ．４０２と、商品の種類を示す種類４０３と、その商品を製造した会社等を示す製造元４０４と、製造された年月日を示す製造年月日４０５と、商品の価格を示す価格４０６を持つ。各々のデータ項目４００は、データ値４１１とリーダライタ３００を使用しての読取りまたは書込みに対する可または不可の状態４１４のデータ内容４１０を持つ。データ値４１１は、各々のデータ項目が値を持ち、また状態４１４は、各々のデータ項目に対してリーダライタが読取り可能であればＴＲＵＥ、不可能であればＦＡＬＳＥの値を示す読取り４１２、リーダライタが書込み可能であればＴＲＵＥ、不可能であればＦＡＬＳＥを示す書込み４１３を持つ。この図で示している段階の例では、無線識別装置は図６のような各データ項目４００が各々データ値４１１を持ち、かつすべてのデータ項目４００が読取り可能、書込み可能の状態４１４を持つ。これらのデータは、例であるため他の構成であっても良い。
本発明の実施例１では、切断検出線を複数と、第１の値のデータを複数と、該複数の切断検出線と複数の第１の値のデータの対応データとを備えることにより、切断された切断検出線に応じて、無線識別装置の処理を変更するように構成されており、複数のデータ項目に対応したデータの変更及び処理の変更を行うことができる。
【００２０】
図８は、無線識別装置の切り取りに対する各データ項目４１０の読取りまたは書込みの可または不可を決定するためのパターンを示した図である。この情報は制御部１０６または記憶部１０７に格納されている。切り取らなかった場合と切り取り線２１２、２１３で切り取った場合に表示されているラベル読取り○／書込み○２２１、読取り○／書込み×２２２、読取り×／書込み×２２３に対応した読取り書込みパターンの読取り○／書込み○４２０、読取り○／書込み×４３０、読取り×／書込み×４４０である。各データ項目は、読取りまたは書込みが可でＴＲＵＥ、読取りまたは書込みが不可でＦＡＬＳＥを示す。
【００２１】
各データ項目４０７に対して、読取り○／書込み○４２０では、リーダライタに対して読取り４２１は読取り可でＴＲＵＥ、書込み可でＴＲＵＥであり、読取り○／書込み×４３０では、リーダライタに対して読取り４３１は読取り可でＴＲＵＥ、書込み不可でＦＡＬＳＥであり、リーダライタに対して読取り×／書込み×４４０では、読取り４４１は読取り不可でＦＡＬＳＥ、書込み不可でＦＡＬＳＥを持つ。これらのデータは、例であるため他の構成であっても良い。
【００２２】
図９は、無線識別装置の切り取りに対する各データ項目４１０のアクセスの可または不可を決定するためのアクセスパターンを示した図である。この情報は制御部１０６または記憶部１０７に格納されている。切り取らなかった場合と切り取り線２１４と切り取り線２１５で切り取った場合に表示されているラベルアクセスパターンＣ２２４，アクセスパターンＢ２２５，アクセスパターンＡ２２６に対応したアクセスパターン４５０である。各データ項目に対するデータは、アクセス可でＴＲＵＥ、アクセス不可でＦＡＬＳＥを示す。アクセスパターンＡ４５１は、ユニークＩＤ４０１がＴＲＵＥ、シリアルＮｏ．４０２がＴＲＵＥ、種類４０３がＴＲＵＥ、製造元４０４がＴＲＵＥ、製造年月日４０５がＴＲＵＥ、価格４０６がＴＲＵＥを持つ。アクセスパターンＢ４５２は、ユニークＩＤ４０１がＴＲＵＥ、シリアルＮｏ．４０２がＦＡＬＳＥ、種類４０３がＴＲＵＥ、製造元４０４がＦＡＬＳＥ、製造年月日４０５がＴＲＵＥ、価格４０６がＦＡＬＳＥを持つ。アクセスパターンＣは、ユニークＩＤ４０１がＦＡＬＳＥ、シリアルＮｏ．４０２がＦＡＬＳＥ、種類４０３がＦＡＬＳＥ、製造元４０４がＦＡＬＳＥ、製造年月日４０５がＦＡＬＳＥ、価格４０６がＦＡＬＳＥを持つ。
【００２３】
次に消費者が図７に示すようなデータを持つ商品を購入し、無線識別装置のデータを全て書込み不可にし、ユニークＩＤ，種類，製造年月日のデータは読取り可能で、シリアルＮｏ．，製造元，価格のデータは読取り不可にしたい場合を例に動作とその内部処理について説明する。
図１０は、無線識別装置１００がアンテナ１０１でリーダライタ３００からの電波を受信し電源供給を受けたときの制御部１０６での、各データ項目４１０の読取り４１２または書込み４１３の状態４１４を変更するための処理手順を示す図である。
消費者は、上記の例の場合、本発明の無線識別装置１００の状態を変更する時、ラベル読取り○／書込み×２２２に従って切り取り線２１２で切り取る。さらに、ラベルアクセスパターンＢ２２５に従って切り取り線２１５で切り取る。
【００２４】
ここで、アンテナ１０１でリーダライタ３００から電波を受けるとステップＳ５００から開始する。ステップＳ５００では、アンテナ１０１が電波を受け、制御部１０６が電源供給を受けると処理がスタートし、ステップＳ５０１に進む。ステップＳ５０１では、レジスタやメモリ等の初期化を行いステップＳ５０２に進む。ステップＳ５０２では、検出部１０９にて切断検出線２０２、切断検出線２０３、切断検出線２０４、切断検出線２０５のＨＩＧＨまたはＬＯＷの値を取得し、制御部１０６に一時的に記憶しておき、ステップＳ５０３に進む。無線識別装置の状態を変更したい時、ラベル読取り○／書込み○２２１、ラベル読取り○／書込み×２２２、ラベル読取り×／書込み×２２３、ラベルアクセスパターンＡ２２６、ラベルアクセスパターンＢ２２５、ラベルアクセスパターンＣ２２４の内容に従って、切り取らない、もしくは切り取り線２１２、切り取り線２１３、切り取り線２１４、切り取り線２１５での切り取りを選択する。
【００２５】
無線識別装置を切り取らないと、ラベル読取り○／書込み×２２１が左端に表示され、ラベルアクセスパターンＡ２２６が右端に表示され、切断検出線２０２と切断検出線２０３と切断検出線２０４と切断検出線２０５に接続されているアース１１０に電流が流れるため、検出部１０９に接続された切断検出線２０２と切断検出線２０３と切断検出線２０４と切断検出線２０５には電流が流れず、検出部１０９ではＬＯＷと検出される。
【００２６】
切り取り線２１２で切り取ると、左端にラベル読取り○／書込み×が表示され、切断検出線２０２が切断されて切断検出線２０２に接続された検出部１０９でＨＩＧＨと検出される。切り取り線２１３で切り取ると、左端にラベル読取り×／書込み×が表示され、切断検出線２０２と切断検出線２０３が切断されて切断検出線２０２と切断検出線２０３に接続された検出部１０９でＨＩＧＨと検出される。切り取り線２１５で切り取ると、右端にラベルアクセスパターンＢが表示され、切断検出線２０５が切断されて切断検出線２０５に接続された検出部１０９でＨＩＧＨと検出される。切り取り線２１４で切り取ると、右端にラベルアクセスパターンＣが表示され、切断検出線２０４と切断検出線２０５が切断されて切断検出線２０４と切断検出線２０５に接続された検出部１０９でＨＩＧＨと検出される。
【００２７】
ここで例のように、無線識別装置のデータを全て書込み不可にし、ユニークＩＤ、種類、製造年月日のデータは読取り可能、シリアルＮｏ．、製造元、価格のデータは読取り不可にしたい場合は、切り取り線２１２と切り取り線２１５で切り取ると、左端にラベル読取り○／書込み×２２２、右端にラベルアクセスパターンＢ２２５が表示される。ステップＳ５０３では、切断検出線２０２、切断検出線２０３の値より図８のデータを参照し読取り書込みパターンの決定を行い、制御部１０６に一時的に記憶しておき、ステップＳ５０４に進む。ステップＳ５０４では、切断検出線２０４、２０５の値より図９のデータを参照しアクセスパターンの決定を行い、ステップＳ５０５に進む。ステップＳ５０５では、読取り書込みパターンとアクセスパターンを組み合わせて図１１に示すような各データ項目４００の状態を決定し、ステップＳ５０６に進む。
【００２８】
例えば、上記の例でデータ項目４００の価格４０６において、図８では、読取り４３１はＴＲＵＥ、書込み４３２はＦＡＬＳＥの値を持ち、図９では、アクセスパターンＢ４５２で、価格４０６は、アクセスＦＡＬＳＥの値を持つため、読取りと書込みを論理演算で積集合をとることにより、価格４０６は、読取りＦＡＬＳＥ、書込みＦＡＬＳＥの値を持つ。同様にして、ユニークＩＤ４０１は、読取り４１２がＴＲＵＥ、書込み４１３がＦＡＬＳＥ、シリアルＮｏ．４０２は、読取り４１２がＦＡＬＳＥ、書込み４１３がＦＡＬＳＥ、種類４０３は、読取り４１２がＴＲＵＥ、書込み４１３がＦＡＬＳＥ、製造元４０４は、読取り４１２がＦＡＬＳＥ、書込み４１３がＴＲＵＥ、製造年月日４０５は、読取り４１２がＴＲＵＥ、書込み４１３がＦＡＬＳＥの値を持つ。これら各データ項目のデータ内容４５０は記憶部１０７で記憶される。ステップＳ５０６では、記憶部１０７に決定した状態を書込み、ステップＳ５０７に進む。ステップＳ５０７では、コマンド待ちの状態になる。
【００２９】
次に、本発明の無線識別装置１００をリーダライタ３００で読取るまたは書込む時の、無線識別装置１００の内部処理について説明する。まず、データ変更時の無線識別装置の内部処理について説明する。
図１１は、図１０の読取り書込みパターンとアクセスパターンより各データ項目４００の読取りまたは書込みの状態を決定する処理Ｓ５０５によって、決定した各データ項目を示す図である。
次にリーダライタ３００を用いて、本発明の無線識別装置１００を読取る時の無線識別装置１００の内部処理について説明する。
【００３０】
図１２は、図１０のステップＳ５０７のコマンド待ちの状態からのコマンドデータに対する内部処理を示した図である。ステップＳ６００では、コマンドを受信するまで待ち、コマンドを受信したらコマンドの識別を行い、ステップＳ６０１に進む。Ｓ６０１では、コマンドがＲＥＡＤ、読取りに関するコマンドを受信したらステップＳ６１０に進む。Ｓ６１０では、各データ項目４００の読取りの状態４１２を取得し、状態４１２がＴＲＵＥであればステップＳ６１１に進む。ステップＳ６１１では、データの読取りを行い、ステップＳ６１２に進む。ステップＳ６１２では、レスポンスデータの生成を行い、ステップＳ６４０に進む。また、ステップＳ６１０の状態で、各データ項目４００の読取りの状態４１２がＦＡＬＳＥであればステップＳ６１３に進む。ステップＳ６１３では、レスポンスエラーデータの生成を行い、ステップＳ６４０に進む。
【００３１】
ステップＳ６０１の状態において、コマンドがＷＲＩＴＥ、書込みに関するコマンドを受信したらステップＳ６２１に進む。ステップＳ６２０では、各データ項目４００の書込みの状態４１３を取得し、状態４１３がＴＲＵＥであればステップＳ６２１に進む。ステップＳ６２１ではデータの書込みを行い、ステップＳ６２２に進む。ステップＳ６２２では、レスポンスデータの生成を行い、ステップＳ６４０に進む。また、ステップＳ６２０の状態で、各データ項目４００の書込みの状態４１３がＦＡＬＳＥであればステップＳ６２３に進む。ステップＳ６２３では、レスポンスエラーデータの生成を行い、ステップＳ６４０に進む。
【００３２】
ステップＳ６０１の状態において、コマンドがＲＥＡＤでもＷＲＩＴＥでもなくその他のコマンドの時は、ステップＳ６３０に進む。ステップＳ６３０では、各々のコマンドに対応したその他処理を行い、ステップＳ６４０に進む。ステップＳ６４０では、リーダライタに対してレスポンス応答を行い、コマンド待ち状態であるステップＳ６００に進む。
【００３３】
図１０から図１２の動作により、消費者が本発明の無線識別装置１００の一部をラベルに従って切り取ることにより、選択的に無線識別装置のデータ項目４００ごとの読取り４１２や書込み４１３の状態４１４を変更することができる。また、現在の無線識別装置１００の状態もラベルによってリーダライタ３００を使用することなく視覚的に理解することができる。また無線識別装置を切り取ることによって変更されたデータや状態は、ライトワンス等の機能を持つことにより、切断された切断検出線を再びつなぎ直しても再び変更されることがないようにしても良い。ＩＣチップ１０２ついて図３の構成以外に、検出部１０９が、制御部１０６に含まれていても、アクセスパターンが、制御部１０６に格納されていても、無線識別装置を切り取ることにより状態が変更される効果が得られる構成であれば良い。
【実施例２】
【００３４】
次に実施例２として、本発明の無線識別装置１００を空港で航空チケットとして利用する場合を例にその構成と動作について説明する。空港にてリーダライタが設置されたゲートを本発明の航空チケットを持ったまま通過することにより、入場処理を行うと同時に、乗客が食事の希望を航空チケットの一部を切り取ることによって、空港側で乗客毎に処理をするという例である。前述での無線識別装置を切り取ることにより各データ項目４００に対する読取りまたは書込みの状態を変更する例とは異なり、無線識別装置を切り取ることにより各データ項目のデータ値を変更する例である。
【００３５】
図１３は、図３の無線識別装置１００の裏面、または図３の無線識別装置１００にシール・紙等を貼ってチケットの形状にした場合の外観構成の例を示した図である。無線識別装置１００を切り取った後の状態が分かるように、ラベルお茶７２１、ラベルコーヒー７２２、ラベル飲み物なし７２３、ラベル食事なし７２４、ラベル洋食７２５、ラベル和食７２６が印字されている。
【００３６】
図１４は、航空チケットの無線識別装置１００が持つデータであり、記憶部１０７に格納されている。無線識別装置は、データ項目８００を持ち、個々の無線識別装置が持つユニークＩＤ８０１と、チケットを識別するためのシリアルＮｏ．８０２と、飛行機の便を示す便８０３と、航空会社を示す航空会社８０４と、図１５に示す飲み物の種類を示す飲み物８０５と、図１６に示す食事の種類を示す食事８０６を持つ。この図で示している段階の例では、ユニークＩＤが８０００１１２２３３４４５５６６、シリアルＮｏ．が３０００４５８１０２５３、便が７２０、航空会社が７１、飲み物のデータ値８１１が１で図１６を参照するとお茶、食事のデータ値８１１が１で図１６を参照すると和食であるデータを持つ。
【００３７】
図１５は、無線識別装置を切り取った時に飲み物８０５のデータ値８１１を、切り取った部分に応じて変更する時のデータ値８１１を示す切り取りパターン８３０の図である。このデータは、制御部１０６または記憶部１０７に格納されている。切り取らない場合と切り取り線７１２、７１３で切り取った場合のラベルお茶７２１、コーヒー７２２、飲み物なし７２３に対応した切取りパターン８３０のお茶８３１、コーヒー８３２、飲み物なし８３３に対応する。お茶８３１は、飲み物８２１が１を示し、コーヒー８３２は、飲み物８２１が２を示し、飲み物なし８３３は、飲み物８２１が０を示す。
【００３８】
図１６は、無線識別装置を切り取った時に食事８０６のデータ値８１１を、切り取った部分に応じて変更する時のデータ値８１１を示す切り取りパターン８５０の図である。切り取らない場合と切り取り線７１４、７１５で切り取った場合のラベル和食８５１、洋食８５２、食事なし８５３に対応した切取りパターン８５０の和食８５１、洋食８５２、食事なし８５３に対応する。お茶８５１は食事８４１が１を示し、洋食８５２は食事８４１が２を示し、食事なし８５３は食事８４１が０を示す。
【００３９】
次に乗客が本発明の無線識別装置１００を使って、和食とコーヒーを指定したい場合を例に動作とその内部処理について説明する。
図１７は、無線識別装置１００がアンテナ１０１から電波を受信し電源供給を受けたときの制御部１０６における処理手順を示す図である。
上記の例で、乗客は、コーヒーを指定するために切り取り線７１２で切り取り、左端にラベルコーヒー７２２が表示されるようにする。また、右端にはラベル和食７２６が表示されている。
ステップＳ９００では、アンテナ１０１が電波を受け、制御部１０６が電源供給を受けると処理がスタートし、ステップＳ９０１に進む。ステップＳ９０１では、レジスタやメモリ等の初期化を行いステップＳ９０２に進む。ステップＳ９０２では、検出部１０９にて切断検出線２０２、切断検出線２０３、切断検出線２０４、切断検出線２０５のＨＩＧＨまたはＬＯＷの値を取得し、制御部１０６に一時的に記憶しておき、ステップＳ９０３に進む。
【００４０】
無線識別装置のデータ値８１１を変更したい時、ラベルお茶７２１、ラベルコーヒー７２２、ラベル飲み物なし７２３、ラベル食事なし７２４、ラベル洋食７２５、ラベル和食７２６に従って、切り取らない、もしくは切り取り線７１２、切り取り線７１３、切り取り線７１４、切り取り線７１５での切り取りを選択する。無線識別装置を切り取らないと、左端にラベルお茶７２１が表示され、右端にラベル和食７２６が表示され、切断検出線２０２と切断検出線２０３と切断検出線２０４と切断検出線２０５に接続されているアース１１０に電流が流れるため、検出部１０９に接続された切断検出線２０２と切断検出線２０３と切断検出線２０４と切断検出線２０５には電流が流れず、検出部１０９ではＬＯＷと検出される。
【００４１】
切り取り線７１２で切り取ると、左端にラベルコーヒー７２２が表示され、切断検出線２０２が切断されて切断検出線２０２に接続された検出部１０９でＨＩＧＨと検出される。切り取り線７１３で切り取ると、左端にラベル飲み物なし７２３が表示され、切断検出線２０２と切断検出線２０３が切断されて切断検出線２０２と切断検出線２０３に接続された検出部１０９で各々ＨＩＧＨと検出される。切り取り線７１４で切り取ると、右端にラベル食事なし７２４と表示され、切断検出線２０４と切断検出線２０５が切断されて切断検出線２０４と切断検出線２０５に接続された検出部１０９で各々ＨＩＧＨと検出される。切り取り線７１５で切り取ると、右端にラベル洋食７２５と表示され、切断検出線２０５が切断されて切断検出線２０５に接続されている検出部１０９でＨＩＧＨと検出される。
【００４２】
ここで例のようにコーヒーと洋食を指定する場合は、切り取り線７１２で切り取ると、左端にラベルコーヒー７２２が表示され、右端にラベル和食７２６が表示される。ステップＳ９０３では、切断検出線２０２、切断検出線２０３の値より図１５のデータを参照し飲み物の切り取りパターンの決定を行い、制御部１０６に記憶しておき、ステップＳ９０４に進む。ステップＳ９０４では、切断検出線２０４、切断検出線２０５の値より図１６のデータを参照し食事の切り取りパターンの決定を行い、制御部１０６に記憶しておき、ステップＳ９０５に進む。ステップＳ５０５では、飲み物の切り取りパターンと食事の切り取りパターンより、飲み物８０５と食事８０６のデータ値８１１の値を書換え、ステップＳ９０６に進む。
【００４３】
例えば、上記の例で飲み物８０５のデータ値が１から２に書換え、食事８０６のデータ値は１のまま書き換えない、従って飲み物８０５はコーヒーを、食事８０６は和食を示す。ステップＳ９０６では、コマンド待ちの状態になる。この無線識別装置をリーダライタで読取る時の処理手順については、図１２と同様である。
本発明の実施例２では、無線識別装置の一部を切り取ることにより、無線識別装置内に記憶されたデータの値を変更することができる。
【００４４】
図１８は、図１７の飲み物データと食事データを書き換える処理Ｓ９０５によって書き換えられたデータ項目を示す図である。
【実施例３】
【００４５】
図１９は、無線識別装置を切り取ることにより、機能で使用不可にする例の無線識別装置の外観構成を示した図である。無線識別装置１００は、ＩＣチップ１０２に、アンテナ１０１と無線識別装置１００が切り取られたことを検出するための切断検出線２０６が電気的に接続されている。切り取り線１００１で切り取ると切断検出線２０６が切断される構成になっている。
【００４６】
図２０は、図１９の無線識別装置１００の裏面、または図１９の無線識別装置１００にシール・紙等を貼った場合の外観構成の例を示した図である。無線識別装置の一部を切り取らなければ使用可、また切り取ると使用不可であると視覚的に分かるように、ラベル使用可１０１１、ラベル使用不可１０２１が印字されている。
【００４７】
図２１は、無線識別装置の切り取りに対する無線識別装置の使用可または使用不可の状態を決定するためのパターンを示した図である。この情報は記憶部１０７に格納されている。切り取らなかった場合と切り取り線１００１で切り取った場合に表示されているラベル使用可１０１１、ラベル使用不可１０２１に対応した切り取りパターン１０４０で使用可１０４１、使用不可１０４２がある。無線識別装置の状態１０３０の値がＬＯＷ１０４１の時は使用可１０４１で、ＨＩＧＨ１０４２の時は使用不可１０４２である。
【００４８】
図２２は、無線識別装置１００がアンテナ１０１でリーダライタ３００からの電波を受信し電源供給を受けた時の制御部１０６での、無線識別装置の切り取りに対する無線識別装置の使用可または不可を決定するための処理手順を示す図である。
ここで、アンテナ１０１でリーダライタ３００から電波を受けるとステップＳ１１００から開始する。ステップＳ１１００では、アンテナ１０１が電波を受け、制御部１０６が電源供給受けると処理がスタートし、ステップＳ１１０１に進む。ステップＳ１１０１では、レジスタやメモリ等の初期化を行いステップＳ１１０２に進む。ステップＳ１１０２では、検出部１０９にて切断検出線２０６のＨＩＧＨまたはＬＯＷの値を取得し、ＨＩＧＨの場合、即ち図２１より使用不可１０４２の場合、ステップＳ１１０３に進む。ステップＳ１１０３では、無線識別装置を使用不可にする処理を行い、ステップＳ１１０４に進む。無線識別装置を機能的に使用不可にする処理として、無線識別装置自身に無線識別装置を使用不可にするコマンドを送信するなどがある。ステップＳ１１０４では、コマンド待ちの状態になる。またステップＳ１１０２の状態において、検出部１０９がＬＯＷの値、即ち図２１より使用可の場合は、ステップＳ１１０４に進み、コマンド待ちの状態となる。
本発明の実施例３では、無線識別装置の一部を切り取って無線識別装置の状態の値を変更することにより無線識別装置を機能的に使用可あるいは使用不可にすることができる。
【実施例４】
【００４９】
無線識別装置を切り取ると同時にアンテナも切り取ることによって無線識別装置とリーダライタの通信距離を変更する無線識別装置について説明する。一般的に無線識別装置とリーダライタの通信距離は、無線識別装置側では、無線識別装置のアンテナの長さと形状に影響する。
【００５０】
図２３は、アンテナ１０１を切り取ることにより無線識別装置とリーダライタの通信距離を変更する無線識別装置１００の外観構成を示した図である。ＩＣチップ１０２に電気的に接続されているアンテナ１０１は、切り取り線１２１１、切り取り線１２２１、切り取り線１２３１、切り取り線１２４１、切り取り線１２４２、切り取り線１２３２、切り取り線１２２２、切り取り線１２１２で切り取ることができる構造を持つ。切り取り線でアンテナの両側を切り取ることにより、アンテナが短くなり、リーダライタと無線識別装置の通信距離も短くなる。
【００５１】
本発明の実施例４では、無線識別装置１００のアンテナ１０１部を切り取ることにより無線識別装置とリーダライタとの通信距離を容易に変更することができる。
【００５２】
図２４は、図２３の無線識別装置の裏、または図２３の無線識別装置にシール・紙等を貼った場合の外観構成の例を示した図である。無線識別装置１００の一部を切り取った後の変化した通信距離が分かるように、ラベル３ｍ１３０１、１３０２、ラベル１ｍ１３１１、１３１２、ラベル５０ｃｍ１３２１、１３２２、ラベル１０ｃｍ１３３１、１３３２、ラベル１ｃｍ１３４１、１３４２が印字されている。無線識別装置を切り取らないとラベル３ｍ１３０１、１３０２の通信距離に、切り取り線１２１１、１２１２で切り取るとラベル１ｍ１３１１、１３１２の通信距離に、切り取り線１２２１、１２２２で切り取るとラベル５０ｃｍ１３２１、１３２２の通信距離に、切り取り線１２３１、１２３２で切り取るとラベル１０ｃｍ、１３３１、１３３２の通信距離に、切り取り線１２４１、１２４２で切り取るとラベル１ｃｍ１３４１、１３４２の通信距離になる。この例では、ＩＣチップ１０２を無線識別装置の中心として両側にアンテナ１０１が伸びている形状のため、通信距離を変更するためにアンテナ１０１の両側の２箇所を切り取る必要があるが、アンテナ１０１の形状によっては１箇所切り取るだけで良い場合もある。
【００５３】
本発明の実施例４においては、電波の受信と信号の送受信を行うためのアンテナと、外部通信装置とデータの送受信を行う通信制御部を備え、無線識別装置の一部に、切り取り線、または記号、またはパターン、または色づけするように構成されており、外部通信装置と無線識別装置との通信距離の目安と該アンテナの切断位置を分り易く示すことができる。
【００５４】
なお、上記実施例４では、線状のアンテナの一部を切り取る例が示されているが、無線識別装置のアンテナの形状は、上記の線状の形状には限らず、面状のアンテナなど他の形状のアンテナの一部を切り取ることにより通信距離を変更することができる。また、無線識別装置内のアンテナ回路の素子の一部を切り取って通信距離を変更するように構成することも可能である。
【図面の簡単な説明】
【００５５】
【図１】本発明の無線識別装置の内部構造を示したブロック図。
【図２】切断検出線の具体的な回路の例を示した図。
【図３】本発明の無線識別装置の外部構成を示した図。
【図４】図３の無線識別装置の裏面、または図３の無線識別装置にシール・紙等を貼った場合の外観構成の例を示した図。
【図５】本発明の実施の形態に係わる、無線識別装置とリーダライタからなる無線識別装置システムの構成を示した図。
【図６】リーダライタの内部構成を示した図。
【図７】本発明の無線識別装置が商品に添付された時の無線識別装置が持つデータの例を示した図。
【図８】無線識別装置の切り取りに対する各データ項目の読取りまたは書込みの可または不可を決定するための読取り書込みパターンを示した図。
【図９】無線識別装置の切り取りに対する各データ項目のアクセスの可または不可を決定するためのアクセスパターンを示した図。
【図１０】無線識別装置が電波を受信し電源供給を受けた時の制御部での各データ項目の読取りまたは書込みの状態を変更するための処理手順を示した図。
【図１１】図１０の処理によって決定した各データ項目の状態を示す図。
【図１２】図１１のコマンド待ちの状態からのコマンドデータに対する内部処理を示した図。
【図１３】図３の無線識別装置の裏面、または図３の無線識別装置にシール・紙等を貼ってチケットの形状にした場合の外観構成の例を示した図。
【図１４】本発明の無線識別装置を航空チケットとして利用した時の無線識別装置が持つデータの例を示した図。
【図１５】無線識別装置を切り取った時に飲み物のデータ値を切り取った部分に応じて変更する時のデータ値を示す切り取りパターンを示す図。
【図１６】無線識別装置を切り取った時に食事のデータ値を切り取った部分に応じて変更する時のデータ値を示す切り取りパターンを示す図。
【図１７】無線識別装置が電波を受信し電源供給を受けた時の制御部での各データ項目のデータ値を書き換えるための処理手順を示した図。
【図１８】図１７の飲み物データと食事データを書き換える処理Ｓ９０５によって書き換えられたデータ項目を示した図。
【図１９】無線識別装置を切り取ることにより、機能的に無線識別装置を使用不可にする例の無線識別装置の外観構成を示した図。
【図２０】図１９の無線識別装置の裏面、または図１９の無線識別装置にシール・紙等を貼った場合の外観構成の例を示した図。
【図２１】無線識別装置の切り取りに対する無線識別装置の使用可または使用不可の状態を決定するためのパターンを示した図。
【図２２】無線識別装置が電波を受信し電源供給を受けた時の制御部での無線識別装置の切り取りに対する無線識別装置の使用可または不可を決定するための処理手順を示した図。
【図２３】アンテナを切り取ることにより無線識別装置とリーダライタの通信距離を変更する無線識別装置の外観構成を示した図。
【図２４】無線識別装置の裏、無線識別装置にシール・紙等を貼った場合の外観構成の例を示した図。
【符号の説明】
【００５６】
１００    無線識別装置
１０１    アンテナ
１０２    ＩＣチップ
１０３    整流部
１０４    電源部
１０５    通信制御部
１０６    制御部
１０７    記憶部
１０８    切断検出線
１０９    検出部
１１０    アース
２０２、２０３、２０４、２０５、２０６    切断検出線
２１２、２１３、２１４、２１５    切り取り線
２２１、２２２、２２３、２２４、２２５、２２６    ラベル
２３２、２３３、２３４、２３５    端子
３００    リーダライタ
３０１    リーダライタアンテナ
３０２    リーダライタ本体
３０３    送受信部
３０４    通信制御部
３０５    制御部
３０６    ホストインタフェース
３０７    電源部
４００    データ項目
４０１    ユニークＩＤ
４０２    シリアルＮｏ．
４０３    種類
４０４    製造元
４０５    製造年月日
４０６    価格
４１１    データ値
４１２    読取り
４１３    書込み
４１４    状態
４２０    読取り○／書込み○
４３０    読取り○／書込み×
４４０    読取り×／書込み×
４２１、４３１、４４１    読取り
４２２、４３２、４４２    書込み
４５０    アクセスパターン
４５１    アクセスパターンＡ
４５２    アクセスパターンＢ
４５３    アクセスパターンＣ
Ｓ５００    開始
Ｓ５０１    各イニシャライズ
Ｓ５０２    各端子の値を取得
Ｓ５０３    読取り／書込みパターン決定
Ｓ５０４    アクセスパターン決定
Ｓ５０５    各データ項目の読取り／書込みパターン決定
Ｓ５０６    記憶部に書込む
Ｓ５０７    コマンド待ち
Ｓ６００    コマンド待ち
Ｓ６０１    コマンド受信
Ｓ６１０    各データ項目の読取りの状態取得
Ｓ６１１    データ読取り
Ｓ６１２    レスポンスデータ生成
Ｓ６１３    レスポンスエラーデータ生成
Ｓ６２０    各データ項目の書込みの状態取得
Ｓ６２１    データ書込み
Ｓ６２２    レスポンスデータ生成
Ｓ６２３    レスポンスエラーデータ生成
Ｓ６３０    その他処理
Ｓ６４０    レスポンス応答
７１２、７１３、７１４、７１５    切り取り線
７２１、７２２、７２３、７２４、７２５、７２６    ラベル
８００    データ項目
８０１    ユニークＩＤ
８０２    シリアルＮｏ．
８０３    便
８０４    航空会社
８０５    飲み物
８０６    食事
８１０    内容
８１１    データ値
８２０    データ項目
８２１    飲み物
８３０    切取りパターン
８３１    お茶
８３２    コーヒー
８３３    飲み物なし
８４０    データ項目
８４１    食事
８５０    切取りパターン
８５１    和食
８５２    洋食
８５３    食事なし
Ｓ９００    開始
Ｓ９０１    各イニシャライズ
Ｓ９０２    各端子の値を取得
Ｓ９０３    飲み物の切取りパターン決定
Ｓ９０４    食事の切取りパターン決定
Ｓ９０５    飲み物データと食事データを書き換える
Ｓ９０６    コマンド待ち
１００１    切り取り線
１０１１    ラベル使用可
１０２１    ラベル使用不可
１０３０    無線識別装置の状態
１０４０    切り取りパターン
１０４１    使用可
１０４２    使用不可
Ｓ１１００    開始
Ｓ１１０１    各イニシャライズ
Ｓ１１０２    端子の値を取得
Ｓ１１０３    無線識別装置を使用不可にする
Ｓ１１０４    コマンド待ち
１２１１、１２１２、１２２１、１２２２、１２３１、１２３２、１２４１、１２４２    切り取り線
１３０１、１３０２、１３１１、１３１２、１３２１、１３２２、１３３１、１３３２、１３４１、１３４２    ラベル、
【図１】
2007065761.tif 000003
【図２】
2007065761.tif 000004
【図３】
2007065761.tif 000005
【図４】
2007065761.tif 000006
【図５】
2007065761.tif 000007
【図６】
2007065761.tif 000008
【図７】
2007065761.tif 000009
【図８】
2007065761.tif 000010
【図９】
2007065761.tif 000011
【図１０】
2007065761.tif 000012
【図１１】
2007065761.tif 000013
【図１２】
2007065761.tif 000014
【図１３】
2007065761.tif 000015
【図１４】
2007065761.tif 000016
【図１５】
2007065761.tif 000017
【図１６】
2007065761.tif 000018
【図１７】
2007065761.tif 000019
【図１８】
2007065761.tif 000020
【図１９】
2007065761.tif 000021
【図２０】
2007065761.tif 000022
【図２１】
2007065761.tif 000023
【図２２】
2007065761.tif 000024
【図２３】
2007065761.tif 000025
【図２４】
2007065761.tif 000026